(57)【特許請求の範囲】
【請求項１】
対向する一対の外面シートの間に、袋内を２つの収納部に分割する仕切りシートを介在させた包装袋において、前記外面シートの何れか一方の外面シートの開口縁部で、他方の外面シートの開口縁部と前記仕切りシートの開口縁部とをスポットシールするヒータヘッドの当接位置に切抜き部を形成した包装袋の前記２つの収納部に内容物をそれぞれ充填する方法であって、
吸引手段にて両外面シートを開口方向に吸引するのと同時に、他の吸引手段にて前記切抜き部を形成した一方の外面シートの前記切抜き部を覆う位置を吸引して仕切りシートを一方の外面シート側に吸着させて、他方の外面シートと仕切りシートとの間に形成される第１収納部を開口させる第１収納部開口工程と、
第１収納部開口工程によって開口した前記第１収納部に第１内容物を充填する第１充填工程と、
第１充填工程終了後に各外面シートの開口縁部と仕切りシートの開口縁部とを重ねた状態で一方の外面シートの前記切抜き部に対応した位置に切抜き部より小さなヒータヘッドを当接させて他方の外面シートの開口縁部と仕切りシートの開口縁部との１箇所をスポットシールするスポットシール工程と、
スポットシール工程終了後の両外面シートを、吸引手段にて開口方向に吸引して一方の外面シートと仕切りシートとの間に形成される第２収納部を開口させる第２収納部開口工程と、
第２収納部開口工程によって開口した前記第２収納部に第２内容物を充填する第２充填工程と、
第２充填工程終了後に各外面シートの開口縁部と仕切りシートの開口縁部とを重ねた状態で開口縁部を封止する封止工程と
を備えていることを特徴とする包装袋の内容物充填方法。
【請求項２】
対向する一対の外面シートの間に、袋内を２つの収納部に分割する仕切りシートを介在させた包装袋において、前記外面シートの何れか一方の外面シートの開口縁部で、他方の外面シートの開口縁部と前記仕切りシートの開口縁部とをスポットシールするヒータヘッドの当接位置に切抜き部を形成した包装袋の前記２つの収納部に内容物をそれぞれ充填する方法であって、
前記切抜き部を形成した一方の外面シートの前記切抜き部を覆う位置を吸引手段にて吸引して前記仕切りシートの開口縁部を一方の外面シート側に吸着させた状態で両外面シートを開口方向に吸引して他方の外面シートと仕切りシートとの間に形成される第１収納部を開口させる第１収納部開口工程と、
第１収納部開口工程によって開口した前記第１収納部に第１内容物を充填する第１充填工程と、
第１充填工程終了後に各外面シートの開口縁部と仕切りシートの開口縁部とを重ねた状態で一方の外面シートの前記切抜き部に対応した位置に切抜き部より小さなヒータヘッドを当接させて他方の外面シートの開口縁部と仕切りシートの開口縁部との１箇所をスポットシールするスポットシール工程と、
スポットシール工程終了後の両外面シートを、吸引手段にて開口方向に吸引して一方の外面シートと仕切りシートとの間に形成される第２収納部を開口させる第２収納部開口工程と、
第２収納部開口工程によって開口した前記第２収納部に第２内容物を充填する第２充填工程と、
第２充填工程終了後に各外面シートの開口縁部と仕切りシートの開口縁部とを重ねた状態で開口縁部を封止する封止工程と
を備えていることを特徴とする包装袋の内容物充填方法。
【発明の詳細な説明】
【技術分野】
【０００１】
本発明は、包装袋及び包装袋の内容物充填方法に関し、詳しくは、仕切りシートによって袋内を２つの収納部に分割した包装袋に関するとともに、該包装袋の２つの収納部に内容物をそれぞれ充填する方法に関する。
【背景技術】
【０００２】
従来、対向する一対の外面シートの間に仕切りシートを介在させ、袋内を２つの収納部に分割した包装袋が知られている。この包装袋として、一対の外面シートの双方に吸着穴をそれぞれ形成し、前記吸着穴を介していずれか一方の外面シート側に仕切りシートを交互に吸引吸着させることにより、２つの収納部のいずれか一方の開口部を開口して内容物をそれぞれ充填するものがあった（例えば、特許文献１参照。）。
【先行技術文献】
【特許文献】
【０００３】
【特許文献１】特許第３７３９９２５号公報
【発明の概要】
【発明が解決しようとする課題】
【０００４】
しかし、上述のものでは、一対の外面シートの双方に、少なくとも１箇所ずつ吸着穴を形成することから、各収納部に内容物をそれぞれ充填した後に開口部を封止すると、封止した部分に複数の吸着穴が残ることから見栄えが悪くなっていた。また、仕切りシートは、薄く且つ柔軟性を備えたものを用いる場合が多いことから、一方の収納部に内容物を充填すると、内容物の重量や形状によっては仕切りシートの開口部側が波状となることがある。このため、次の工程で仕切りシートを他方の外面シートに吸引吸着させて他方の収納部を開口させる際に、波状となった仕切りシートを他方の外面シート側に吸引吸着させるために高い吸引力が必要になったり、内容物によっては仕切りシートを外面シート側に充分に吸引吸着できなかったりすることもあった。
【０００５】
そこで本発明は、吸着穴のような切抜き部の数を最小にしながら各収容部を確実に開口させることができ、内容物充填後の見栄えを良好にできる包装袋を提供すると共に、２つの収納部に内容物を良好に充填できる包装袋の内容物充填方法を提供することを目的としている。
【課題を解決するための手段】
【０００７】
上記目的を達成するため、本発明の包装袋の内容物充填方法は、対向する一対の外面シートの間に、袋内を２つの収納部に分割する仕切りシートを介在させた包装袋において、前記外面シートの何れか一方の外面シートの開口縁部で、他方の外面シートの開口縁部と前記仕切りシートの開口縁部とをスポットシールするヒータヘッドの当接位置に切抜き部を形成した包装袋の前記２つの収納部に内容物をそれぞれ充填する方法であって、吸引手段にて両外面シートを開口方向に吸引するのと同時に、他の吸引手段にて前記切抜き部を形成した一方の外面シートの前記切抜き部を覆う位置を吸引して仕切りシートを一方の外面シート側に吸着させて、他方の外面シートと仕切りシートとの間に形成される第１収納部を開口させる第１収納部開口工程と、第１収納部開口工程によって開口した前記第１収納部に第１内容物を充填する第１充填工程と、第１充填工程終了後に各外面シートの開口縁部と仕切りシートの開口縁部とを重ねた状態で一方の外面シートの前記切抜き部に対応した位置に切抜き部より小さなヒータヘッドを当接させて他方の外面シートの開口縁部と仕切りシートの開口縁部との１箇所をスポットシールするスポットシール工程と、スポットシール工程終了後の両外面シートを、吸引手段にて開口方向に吸引して一方の外面シートと仕切りシートとの間に形成される第２収納部を開口させる第２収納部開口工程と、第２収納部開口工程によって開口した前記第２収納部に第２内容物を充填する第２充填工程と、第２充填工程終了後に各外面シートの開口縁部と仕切りシートの開口縁部とを重ねた状態で開口縁部を封止する封止工程とを備えていることを特徴としている。
【０００８】
さらに、対向する一対の外面シートの間に、袋内を２つの収納部に分割する仕切りシートを介在させた包装袋において、前記外面シートの何れか一方の外面シートの開口縁部で、他方の外面シートの開口縁部と前記仕切りシートの開口縁部とをスポットシールするヒータヘッドの当接位置に切抜き部を形成した包装袋の前記２つの収納部に内容物をそれぞれ充填する方法であって、前記切抜き部を形成した一方の外面シートの前記切抜き部を覆う位置を吸引手段にて吸引して前記仕切りシートの開口縁部を一方の外面シート側に吸着させた状態で両外面シートを開口方向に吸引して他方の外面シートと仕切りシートとの間に形成される第１収納部を開口させる第１収納部開口工程と、第１収納部開口工程によって開口した前記第１収納部に第１内容物を充填する第１充填工程と、第１充填工程終了後に各外面シートの開口縁部と仕切りシートの開口縁部とを重ねた状態で一方の外面シートの前記切抜き部に対応した位置に切抜き部より小さなヒータヘッドを当接させて他方の外面シートの開口縁部と仕切りシートの開口縁部との１箇所をスポットシールするスポットシール工程と、スポットシール工程終了後の両外面シートを、吸引手段にて開口方向に吸引して一方の外面シートと仕切りシートとの間に形成される第２収納部を開口させる第２収納部開口工程と、第２収納部開口工程によって開口した前記第２収納部に第２内容物を充填する第２充填工程と、第２充填工程終了後に各外面シートの開口縁部と仕切りシートの開口縁部とを重ねた状態で開口縁部を封止する封止工程とを備えていることを特徴としている。
【発明の効果】
【０００９】
本発明によれば、一方の外面シートの開口縁部に、他方の外面シートの開口縁部と仕切りシートの開口縁部とをスポットシールする際のヒータヘッドが当接する位置にだけ切抜き部を形成すればよく、他方の外面シートには切抜き部を形成しなくてよいことから、内容物を充填して封止した後の包装袋の見栄えを良好にできる。
【００１０】
すなわち、一方の収納部を開口させる際には、切抜き部を通して仕切りシートを吸引することで仕切りシートを一方の外面シート側に確実に寄せることができ、一方の収納部を確実に開口させることができる。また、一方の収納部に内容物を充填した後に、他方の収納部を開口させる際には、他方の外面シートの開口縁部と仕切りシートの開口縁部とがスポットシールされて一体化しているので、仕切りシートの開口縁部が波状になっていても、仕切りシートを他方の外面シート側に確実に寄せることができる。これにより、両方の収納部に内容物をそれぞれ良好に充填することができる。
【００１１】
さらに、一対の外面シートの反開口側にチャックを設けるとともに、何れか一方の外面シートのチャックよりも開口縁部側に仕切りシートの反開口縁部側端部を接着することにより、チャックを開いても仕切りシートを接着した仕切りシート側の収納部が開口しないので、仕切りシートを接着していない仕切りシート側の収納部に充填した内容物のみを出し入れすることができる。
【図面の簡単な説明】
【００１２】
【図１】本発明の第１形態例を示す包装袋の斜視図である。
【図２】同じく包装袋の各収納部を開口させる工程の説明図である。
【図３】同じく包装袋内に内容物を充填する工程を示す説明図である。
【図４】本発明の第２形態例を示す包装袋の斜視図である。
【図５】同じく包装袋の各収納部を開口させる工程の説明図である。
【図６】本発明の第３形態例を示す包装袋の断面図である。
【発明を実施するための形態】
【００１３】
図１乃至図３は本発明の第１形態例を示すもので、包装袋１は、対向する一対の外面シート２，３の間に仕切りシート４を介在させ、袋内を外面シート３と仕切りシート４との間に形成される第１収納部５と、外面シート２と仕切りシート４との間に形成される第２収納部６とに分割している。一方の外面シート２の開口縁部の一側寄りには、通孔７（切抜き部）が設けられ、双方の外面シート２，３の両側縁部と反開口側縁部とは、仕切りシート４と共にヒートシールされている。外面シート２，３には、比較的硬度を有する複層合成樹脂シートが用いられ、仕切りシート４は、通気性を備えた薄い合成樹脂シートが用いられている。
【００１４】
前記通孔７は、後述の外面シート３の開口縁部と仕切りシート４の開口縁部とをスポットシールする際に使用するヒータヘッドの先端が当接する位置で、かつ、ヒータヘッドの先端の面積より大きな開口面積で形成されている。
【００１５】
次に、上述の包装袋１の各収納部５，６に、自動充填機にて内容物を順次充填する工程を図２及び図３に基づいて説明する。なお、図３の上段は側面視、下段は平面視の図であって、図において、左側から右側に向かって（Ａ）〜（Ｈ）の順に工程が進行する。
【００１６】
包装袋１は、開口部を上方に向けて自動充填機に導入され、まず、第１収納部開口工程１１により、外面シート２，３の開口縁部の中央部外側面に向けて吸着板２１ａ，２１ａをそれぞれ進出させ、双方の外面シート２，３を開口方向に吸引するのと同時に、外面シート２の通孔７を覆う位置の外側面に向けて吸着板２１ｂを進出させ、通孔７を通して仕切りシート４を一方の外面シート側に吸引して、他方の外面シート３と仕切りシート４との間に形成される第１収納部５を開口させる。
【００１７】
次いで、第１充填工程１２により、例えば、乾燥剤や防腐剤、保冷剤等の第１内容物２２を導入するホッパ２３が下降し、前記第１収納部５の開口内に挿入され、第１収納部５に第１内容物２２が充填される。第１収納部５に第１内容物２２が充填された後に、ホッパ２３が上昇すると共に、包装袋１の開口部近傍の両側縁部を押えバー（図示せず）で押え、一対の外面シート２，３と仕切りシート４の開口部側を重ねた状態とする。
【００１８】
次いで、第１収納部接着工程１３により、他方の外面シート３及び仕切りシート４の通孔７と重なる位置にヒータヘッド２４を進出させると共に、一方の外面シート２側に、吸着板２１ｂを進出させ、他方の外面シート３と仕切りシート４とをスポットシールする。この時、一方の外面シート２は、通孔７の位置にヒータヘッド２４が配置されることによってヒータヘッド２４に接触することがなく、他方の外面シート３と仕切りシート４のみがスポットシールされる。
【００１９】
次に、第２収納部開口工程１４により、一方の外面シート２と他方の外面シート３とに向けて吸着板２１ａ，２１ａをそれぞれ進出させ、双方の外面シート２，３を開口方向に吸引し、他方の外面シート３側に仕切りシート４を寄せて、一方の外面シート２と仕切りシート４とによって形成される第２収納部６を開口させる。
【００２０】
次いで、第２充填工程１５により、例えば、食品や雑貨等の第２内容物２５を導入するホッパ２６が下降し、前記第２収納部６の開口内に挿入され、第２収納部６に第２内容物２５が充填される。
【００２１】
最後に、封止工程によって、周知の方法によって、一対の外面シート２，３の上縁部を仕切りシート４と共に封止する。
【００２２】
本形態例の包装袋１は上述のように、一方の外面シート２の開口縁部に、吸引・接着用の１つの通孔７を形成するだけでよいので、封止工程終了後に、封止部分の一側面の１箇所にしか通孔７の痕が残らないことから、見栄えの良い包装袋１を提供することができる。さらに、上述のような包装袋の内容物充填方法によれば、第１収納部開口工程１１の際に、吸着板２１ａ，２１ａにより、双方の外面シート２，３を開口方向に吸引するのと同時に、吸着板２１ｂにより通孔７を通して、仕切りシート４を一方の外面シート側に吸引することにより、仕切りシート４を確実に一方の外面シート側に寄せることができ、第１収納部５を良好に開口させることができる。さらに、第１収納部接着工程１３では、ヒータヘッド２４は、他方の外面シート３の通孔７と重なる位置に配置されることから、他方の外面シート３と仕切りシート４とをスポットシールする際に、一方の外面シート２にヒータヘッド２４が接触することがなく、他方の外面シート３と仕切りシート４のみを確実にスポットシールすることができる。また、第１充填工程１２で重量のある内容物や形状の大きい内容物を第１収納部５に収納しても、他方の外面シート３と仕切りシート４とがスポットシールされていることにより、第２収納部開口工程１４によって、双方の外面シート２，３を吸着板２１で開口方向に吸引すると、仕切りシート４を確実に他方の外面シート側に寄せることができ、第２収納部６を良好に開口させることができる。これにより、第１収納部５と第２収納部６とに第１内容物２２と第２内容物２５とをそれぞれ良好に充填させることができる。
【００２３】
図４乃至図６は、本発明の他の形態例を示すもので、第１形態例と同様の構成要素を示すものには、同一の符号を付して、その詳細な説明は省略する。
【００２４】
図４及び図５は、本発明の第２形態例を示すもので、本形態例の包装袋８は、一方の外面シート２の開口縁部の中央部に通孔７を設けている。
【００２５】
本形態例の第１収納部開口行程１１では、外面シート２の通孔を覆う位置の外側面と、外面シート３の外側面とに向けて吸着板２１ｃ，２１ｃをそれぞれ進出させ、通孔７を通して仕切りシート４を一方の外面シート側に吸引しながら、双方の外面シート２，３を開口方向に吸引することにより、２つの吸着板２１ｃ，２１ｃで第１収納部５を開口させることができる。また、第１収納部接着行程１３で、ヒートヘッド２５を進出させて、他方の外面シート３と仕切りシート４とをスポットシールする際には、一方のシート２側には、通孔７より大きな押え板があれば良く、吸着板を進出させる必要はない。さらに、第２収納部開口行程１４では、双方の外面シート２，３を吸引する吸着板２１ｃ，２１ｃは、通孔７を避けた位置を吸引することにより、第２収納部６を良好に開口させることができる。
【００２６】
図６は、本発明の第３形態例を示すもので、本形態例の包装袋は、チャック付きの包装袋９で、一対の外面シート２，３の反開口側の内側面に、雌雄爪型のチャック１０を備え、一方の外面シート２のチャック１０よりも開口部側に、仕切りシート４の反開口側端部が接着されている。また、他方の外面シート３の開口縁部には１つの通孔７が設けられている。
【００２７】
本形態例の包装袋９は上述の第１形態例と同様の各工程を経て、第１収納部５と第２収納部６とにそれぞれ内容物が充填される。また、一方の外面シート２のチャック１０よりも開口部側に、仕切りシート４の反開口側端部が接着されていることから、一方の外面シート２と仕切りシート４とで形成される第１収納部５は、チャック１０を開口しても開口することがなく、乾燥剤や防腐剤、保冷剤等の出し入れせずに袋内に保持しておくものを収納するのに適している。例えば、第１収納部５に乾燥剤を充填し、第２収納部６に塩や砂糖等の粉状の調味料や、ふりかけ等の粉状食品を充填した場合、チャック１０を開閉して、第２収納部６の内容物を取り出す際に、乾燥剤は第１収納部５に収納された状態を保つことから、使い勝手が良く、さらに、第２収納部６の内容物を使い終わるまで、乾燥剤によって品質を保持することができる。
【００２８】
尚、本発明は、上述の各形態例のように、一方の外面シートに、切抜き部として通孔７を形成するものに限らず、切抜き部の形状は任意で、切抜き部の大きさは、前記ヒータヘッドの大きさの応じて適宜設定すれば良い。また、第１収納部や第２収納部に充填する内容物も任意であり、ホッパを用いて充填できるものであれば、固体でも液体でも良く、粉状・粒状・ゲル状等どのような状態のものでも充填することができる。
【符号の説明】
【００２９】
１，８，９…包装袋、２，３…外面シート、４…仕切りシート、５…第１収納部、６…第２収納部、７…通孔、１０…チャック、１１…第１収納部開口工程、１２…第１充填工程、１３…第１収納部接着工程、１４…第２収納部開口工程、１５…第２充填工程、１６…封止工程、２１ａ，２１ｂ，２１ｃ…吸着板、２２…第１内容物、２３，２６…ホッパ、２４…ヒータヘッド、２５…第２内容物
【図１】
0005386327.tif 000002
【図２】
0005386327.tif 000003
【図３】
0005386327.tif 000004
【図４】
0005386327.tif 000005
【図５】
0005386327.tif 000006
【図６】
0005386327.tif 000007